【手続補正書】
【提出日】平成23年12月5日(2011.12.5)
【手続補正１】
【補正対象書類名】特許請求の範囲
【補正対象項目名】全文
【補正方法】変更
【補正の内容】
【特許請求の範囲】
【請求項１】
字幕またはメニューボタンからなる副画像の３Ｄ（３Dimensional）表示に用いられる、前記副画像の左目用のＬ画像および右目用のＲ画像の画像データ
を含み、
前記Ｌ画像の画像データと前記Ｒ画像の画像データのエポック構造は同一である
データ構造のデータが記録されている記録媒体。
【請求項２】
前記副画像には、前記副画像に固有のＩＤである副画像ＩＤが付与され、
前記Ｌ画像の画像データと前記Ｒ画像の画像データにおいて、同一の前記副画像ＩＤが付与された前記副画像の縦方向および横方向のサイズは同一である
請求項１に記載の記録媒体。
【請求項３】
前記データ構造は、前記Ｌ画像および前記Ｒ画像のそれぞれの画面内の前記字幕の表示範囲を示すウィンドウの位置情報およびサイズ情報と、そのウィンドウに固有のＩＤと
をさらに含み、
前記Ｌ画像の前記サイズ情報と前記Ｒ画像の前記サイズ情報において、同一の前記ウィンドウＩＤのウィンドウの縦方向および横方向のサイズは同一である
請求項１に記載の記録媒体。
【請求項４】
前記Ｌ画像の画像データと前記Ｒ画像の画像データにおいて、前記副画像の色として使用可能な色の情報は同一である
請求項１に記載の記録媒体。
【請求項５】
字幕またはメニューボタンからなる副画像の３Ｄ（３Dimensional）表示に用いられる、前記副画像の左目用のＬ画像および右目用のＲ画像の画像データ
を含み、
前記Ｌ画像の画像データと前記Ｒ画像の画像データのエポック構造は同一である
データ構造のデータを再生する場合、
前記データに含まれる前記Ｌ画像および前記Ｒ画像の画面単位の画像データを読み出し、
前記Ｌ画像の画面単位の画像データと前記Ｒ画像の画面単位の画像データを同時に出力する
再生装置。
【請求項６】
前記再生装置は、
前記データに含まれる前記Ｌ画像および前記Ｒ画像の画面単位の画像データを読み出す読出手段と、
前記読出手段により読み出された前記Ｌ画像の画像データを保持するＬ画像保持手段と、
前記読出手段により読み出された前記Ｒ画像の画像データを保持するＲ画像保持手段と、
前記Ｌ画像保持手段により１画面分の前記Ｌ画像の画像データの保持が完了し、かつ、前記Ｒ画像保持手段により１画面分の前記Ｒ画像の画像データの保持が完了した場合、前記Ｌ画像保持手段から前記Ｌ画像の画面単位の画像データを読み出すと同時に、前記Ｒ画像保持手段から前記Ｒ画像の画面単位の画像データを読み出し、前記Ｌ画像の画面単位の画像データと前記Ｒ画像の画面単位の画像データを同時に出力させる制御手段と
を備える
請求項５に記載の再生装置。
【請求項７】
字幕またはメニューボタンからなる副画像の３Ｄ（３Dimensional）表示に用いられる、前記副画像の左目用のＬ画像および右目用のＲ画像の画像データ
を含み、
前記Ｌ画像の画像データと前記Ｒ画像の画像データのエポック構造は同一である
データ構造のデータを再生する再生装置が、
前記データに含まれる前記Ｌ画像および前記Ｒ画像の画面単位の画像データを読み出し、
前記Ｌ画像の画面単位の画像データと前記Ｒ画像の画面単位の画像データを同時に出力する
ステップを含む再生方法。
【請求項８】
字幕またはメニューボタンからなる副画像の３Ｄ（３Dimensional）表示に用いられる、前記副画像の左目用のＬ画像および右目用のＲ画像の画像データ
を含み、
前記Ｌ画像の画像データと前記Ｒ画像の画像データのエポック構造は同一である
データ構造のデータを再生する制御を実行するコンピュータに、
前記データに含まれる前記Ｌ画像および前記Ｒ画像の画面単位の画像データを読み出し、
前記Ｌ画像の画面単位の画像データと前記Ｒ画像の画面単位の画像データを同時に出力する
ステップを含む制御処理を実行させるプログラム。
【請求項９】
字幕またはメニューボタンからなる副画像の３Ｄ（３Dimensional）表示に用いられる、前記副画像の左目用のＬ画像および右目用のＲ画像の画像データを記録媒体に記録させる記録制御手段
を備え、
前記Ｌ画像の画像データと前記Ｒ画像の画像データのエポック構造は同一である
記録装置。
【請求項１０】
前記副画像には、前記副画像に固有のＩＤである副画像ＩＤが付与され、
前記Ｌ画像の画像データと前記Ｒ画像の画像データにおいて、同一の前記副画像ＩＤが付与された前記副画像の縦方向および横方向のサイズは同一である
請求項９に記載の記録装置。
【請求項１１】
前記記録制御手段は、さらに、前記Ｌ画像および前記Ｒ画像のそれぞれの画面内の前記字幕の表示範囲を示すウィンドウの位置情報およびサイズ情報と、そのウィンドウに固有のＩＤを前記記録媒体に記録させ、
前記Ｌ画像の前記サイズ情報と前記Ｒ画像の前記サイズ情報において、同一の前記ウィンドウＩＤのウィンドウの縦方向および横方向のサイズは同一である
請求項９に記載の記録装置。
【請求項１２】
前記Ｌ画像の画像データと前記Ｒ画像の画像データにおいて、前記副画像の色として使用可能な色の情報は同一である
請求項９に記載の記録装置。
【請求項１３】
記録装置が、
字幕またはメニューボタンからなる副画像の３Ｄ（３Dimensional）表示に用いられる、前記副画像の左目用のＬ画像および右目用のＲ画像の画像データを記録媒体に記録させる記録制御ステップ
を含み、
前記Ｌ画像の画像データと前記Ｒ画像の画像データのエポック構造は同一である
記録方法。
【手続補正２】
【補正対象書類名】明細書
【補正対象項目名】発明の名称
【補正方法】変更
【補正の内容】
【発明の名称】記録媒体、再生装置、再生方法、およびプログラム、並びに、記録装置および記録方法
【手続補正３】
【補正対象書類名】明細書
【補正対象項目名】０００１
【補正方法】変更
【補正の内容】
【０００１】
本発明は、記録媒体、再生装置、再生方法、およびプログラム、並びに、記録装置および記録方法に関し、特に、字幕やメニューボタンの３Ｄ表示に適した３Ｄ表示用のビデオのフォーマットを提供することができるようにした記録媒体、再生装置、再生方法、およびプログラム、並びに、記録装置および記録方法に関する。
【手続補正４】
【補正対象書類名】明細書
【補正対象項目名】０００７
【補正方法】変更
【補正の内容】
【０００７】
本発明の第１の側面の記録媒体は、字幕またはメニューボタンからなる副画像の３Ｄ（３Dimensional）表示に用いられる、前記副画像の左目用のＬ画像および右目用のＲ画像の画像データを含み、前記Ｌ画像の画像データと前記Ｒ画像の画像データのエポック構造は同一であるデータ構造のデータが記録されている記録媒体である。
【手続補正５】
【補正対象書類名】明細書
【補正対象項目名】０００８
【補正方法】変更
【補正の内容】
【０００８】
本発明の第１の側面の記録媒体に記録されているデータのデータ構造においては、字幕またはメニューボタンからなる副画像の３Ｄ（３Dimensional）表示に用いられる、副画像の左目用のＬ画像および右目用のＲ画像の画像データが含まれ、Ｌ画像の画像データとＲ画像の画像データのエポック構造は同一である。
【手続補正６】
【補正対象書類名】明細書
【補正対象項目名】０００９
【補正方法】変更
【補正の内容】
【０００９】
本発明の第２の側面の再生装置は、字幕またはメニューボタンからなる副画像の３Ｄ（３Dimensional）表示に用いられる、前記副画像の左目用のＬ画像および右目用のＲ画像の画像データを含み、前記Ｌ画像の画像データと前記Ｒ画像の画像データのエポック構造は同一であるデータ構造のデータを再生する場合、前記データに含まれる前記Ｌ画像および前記Ｒ画像の画面単位の画像データを読み出し、前記Ｌ画像の画面単位の画像データと前記Ｒ画像の画面単位の画像データを同時に出力する再生装置である。
【手続補正７】
【補正対象書類名】明細書
【補正対象項目名】００１０
【補正方法】変更
【補正の内容】
【００１０】
本発明の第２の側面の再生方法およびプログラムは、上述した本発明の第２の側面の再生装置に対応する。
【手続補正８】
【補正対象書類名】明細書
【補正対象項目名】００１１
【補正方法】変更
【補正の内容】
【００１１】
本発明の第２の側面の再生装置および再生方法、並びにプログラムにおいては、字幕またはメニューボタンからなる副画像の３Ｄ（３Dimensional）表示に用いられる、副画像の左目用のＬ画像および右目用のＲ画像の画像データを含み、Ｌ画像の画像データとＲ画像の画像データのエポック構造は同一であるデータ構造のデータが次のようにして再生される。即ち、データに含まれるＬ画像およびＲ画像の画面単位の画像データが読み出され、Ｌ画像の画面単位の画像データとＲ画像の画面単位の画像データが同時に出力される。
本発明の第３の側面の記録装置は、字幕またはメニューボタンからなる副画像の３Ｄ（３Dimensional）表示に用いられる、前記副画像の左目用のＬ画像および右目用のＲ画像の画像データを記録媒体に記録させる記録制御手段を備え、前記Ｌ画像の画像データと前記Ｒ画像の画像データのエポック構造は同一である記録装置である。
本発明の第３の側面の記録方法は、上述した本発明の第３の側面の記録装置に対応する。
本発明の第３の側面の記録装置および記録方法においては、字幕またはメニューボタンからなる副画像の３Ｄ（３Dimensional）表示に用いられる、前記副画像の左目用のＬ画像および右目用のＲ画像の画像データが記録媒体に記録される。なお、前記Ｌ画像の画像データと前記Ｒ画像の画像データのエポック構造は同一である。